【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
ネットワークを介して互いに通信可能なサーバ装置およびクライアント装置を含み、前記クライアント装置は印刷装置と接続されたオンライン印刷システムであって、
前記サーバ装置は、コンテンツデータを印刷制限情報と対応付けて記憶する記憶手段と、前記クライアント装置による前記コンテンツデータの選択に応答して、前記選択されたコンテンツデータに対応付けられた印刷制限情報を前記クライアント装置へ送信する送信手段とを備え、
前記クライアント装置は、前記印刷装置のプリンタドライバの設定内容を検知する検知手段と、前記検知結果に基づいて、前記選択されたコンテンツデータの取得リクエストを前記サーバ装置に送信するリクエスト送信手段と、前記リクエストされたコンテンツデータを前記サーバ装置からダウンロードするダウンロード手段と、前記プリンタドライバの設定および前記印刷制限情報に基づいて、前記ダウンロードされたコンテンツデータを印刷処理する印刷処理手段とを備えることを特徴とするオンライン印刷システム。
【請求項２】
前記検知手段は、前記プリンタドライバに設定された出力先ポートが予め許可されたものであるか否かを検知し、前記検知手段が前記プリンタドライバに設定された出力先ポートが予め許可されたものでないと検知したとき、前記リクエスト送信手段は、前記取得リクエストを送信しないことを特徴とする請求項１に記載のオンライン印刷システム。
【請求項３】
前記検知手段は、前記プリンタドライバでスプールに印刷データを保存する設定になっているか否かを検知し、前記検知手段が前記プリンタドライバでスプールに印刷データを保存する設定になっていると検知したとき、前記リクエスト送信手段は、前記取得リクエストを送信しないことを特徴とする請求項１または２に記載のオンライン印刷システム。
【請求項４】
前記リクエスト送信手段は、前記印刷制限情報も前記サーバ装置へ送信し、
前記サーバ装置は、さらに前記印刷制限情報が有効であるか否かを判定する判定手段も備え、前記判定結果が、前記印刷制限情報が有効であることを示すとき、前記クライアント装置への前記コンテンツデータのダウンロードを許可することを特徴とする請求項１乃至３のいずれか１項に記載のオンライン印刷システム。
【請求項５】
サーバ装置とネットワークを介して通信可能であり、印刷装置と接続されたクライアント装置であって、
前記印刷装置のプリンタドライバの設定内容を検知する検知手段と、
前記検知結果に基づいて、印刷対象のコンテンツデータの取得リクエストを前記サーバ装置に送信するリクエスト送信手段と、
前記リクエストされたコンテンツデータを前記サーバ装置からダウンロードするダウンロード手段と、
前記プリンタドライバの設定に基づいて、前記ダウンロードされたコンテンツデータを印刷処理する印刷処理手段とを備えたことを特徴とするクライアント装置。
【請求項６】
前記検知手段は、前記プリンタドライバに設定された出力先ポートが予め許可されたものであるか否かを検知し、前記検知手段が前記プリンタドライバに設定された出力先ポートが予め許可されたものでないと検知したとき、前記リクエスト送信手段は、前記取得リクエストを送信しないことを特徴とする請求項５に記載のクライアント装置。
【請求項７】
前記検知手段は、前記プリンタドライバでスプールに印刷データを保存する設定になっているか否かを検知し、前記検知手段が前記プリンタドライバでスプールに印刷データを保存する設定になっていると検知したとき、前記リクエスト送信手段は、前記取得リクエストを送信しないことを特徴とする請求項５または６に記載のクライアント装置。
【請求項８】
複数のコンテンツデータの中から少なくとも１つを印刷対象のコンテンツデータとして選択する選択手段と、
前記選択されたコンテンツデータと対応付けられた印刷制限情報を前記サーバ装置から受信する受信手段と、を備え、
前記印刷処理手段は、さらに前記受信された印刷制限情報に基づいて前記印刷処理を行うことを特徴とする請求項５乃至７のいずれか１項に記載のクライアント装置。
【請求項９】
前記受信手段により前記印刷制限情報が受信された場合に、前記検知手段は、前記検知を行うことを特徴とする請求項８に記載のクライアント装置。
【請求項１０】
サーバ装置とネットワークを介して通信可能であり、印刷装置と接続されたクライアント装置の制御方法であって、
前記印刷装置のプリンタドライバの設定内容を検知するステップと、
前記検知結果に基づいて、印刷対象のコンテンツデータの取得リクエストを前記サーバ装置に送信するステップと、
前記リクエストされたコンテンツデータを前記サーバ装置からダウンロードするステップと、
前記プリンタドライバの設定に基づいて、前記ダウンロードされたコンテンツデータを印刷処理するステップとを備えたことを特徴とするクライアント装置の制御方法。
【請求項１１】
サーバ装置とネットワークを介して通信可能であり、印刷装置と接続されたクライアント装置を実現するためのコンピュータに、
前記印刷装置のプリンタドライバの設定内容を検知するステップと、
前記検知結果に基づいて、印刷対象のコンテンツデータの取得リクエストを前記サーバ装置に送信するステップと、
前記リクエストされたコンテンツデータを前記サーバ装置からダウンロードするステップと、
前記プリンタドライバの設定に基づいて、前記ダウンロードされたコンテンツデータを印刷処理するステップとを実行させることを特徴とするプログラム。
【手続補正２】
【補正対象書類名】明細書
【補正対象項目名】発明の名称
【補正方法】変更
【補正の内容】
【発明の名称】オンライン印刷システム、クライアント装置、クライアント装置の制御方法及びプログラム
【手続補正３】
【補正対象書類名】明細書
【補正対象項目名】０００１
【補正方法】変更
【補正の内容】
【０００１】
本発明は、ネットワークを介して互いに通信可能なサーバ装置およびクライアント装置を含み、前記クライアント装置が印刷装置と接続されたオンライン印刷システム、該オンライン印刷システムを構成するクライアント装置、クライアント装置の制御方法及びプログラムに関する。
【手続補正４】
【補正対象書類名】明細書
【補正対象項目名】００１０
【補正方法】変更
【補正の内容】
【００１０】
上記目的を達成するために、本発明のオンライン印刷システムは、ネットワークを介して互いに通信可能なサーバ装置およびクライアント装置を含み、前記クライアント装置は印刷装置と接続されたオンライン印刷システムであって、前記サーバ装置は、コンテンツデータを印刷制限情報と対応付けて記憶する記憶手段と、前記クライアント装置による前記コンテンツデータの選択に応答して、前記選択されたコンテンツデータに対応付けられた印刷制限情報を前記クライアント装置へ送信する送信手段とを備え、前記クライアント装置は、前記印刷装置のプリンタドライバの設定内容を検知する検知手段と、前記検知結果に基づいて、前記選択されたコンテンツデータの取得リクエストを前記サーバ装置に送信するリクエスト送信手段と、前記リクエストされたコンテンツデータを前記サーバ装置からダウンロードするダウンロード手段と、前記プリンタドライバの設定および前記印刷制限情報に基づいて、前記ダウンロードされたコンテンツデータを印刷処理する印刷処理手段とを備えることを特徴とする。
【手続補正５】
【補正対象書類名】明細書
【補正対象項目名】００１１
【補正方法】変更
【補正の内容】
【００１１】
本発明によれば、クライアント装置側でコンテンツデータに対して、許容された印刷条件以外の印刷条件を用いた不正な印刷処理が行われるのをより厳重に防止することができる。